(57)【要約】【課題】受光した光によって電力を発生し、かつ、この電力による電磁波を、光によって電力を発生することによる障害を受けることなく照射してＲＦ−ＩＤメディアに電力を供給する。【解決手段】電波を照射することにより電力を供給する電力供給シート１であって、光を受光する受光面を具備する樹脂層４０と、樹脂層４０の受光面にて受光した光によって電力を発生させる太陽電池層３０と、太陽電池層３０にて発生した電力による電波を、樹脂層４０の受光面が向く方向とは異なる方向に照射するＲＦＩＤ機能層２０とを有する。【選択図】図１
2010122874.tif 000002
【特許請求の範囲】
【請求項１】
電磁波を照射することにより電力を供給する電力供給装置であって、
光を受光する受光面と、
前記受光面にて受光した光によって電力を発生させる電力発生部と、
前記電力発生部にて発生した電力による電磁波を、前記受光面が向く方向とは異なる方向に照射する電磁波照射部とを有する電力供給装置。
【発明の詳細な説明】
【技術分野】
【０００１】
本発明は、電磁波を照射することにより電力を供給する電力供給装置に関する。
【背景技術】
【０００２】
昨今、非接触状態にて情報の書き込みや読み出しを行うことが可能なＩＣチップが搭載されたＲＦ−ＩＤタグがその優れた利便性から急速な普及が進みつつある。ＲＦ−ＩＤタグは、書き込み可能な情報量が、タグに表示可能な情報量に比べて格段に多いこと、また、情報の書き換えが容易に行うことができること等から今後もさらなる普及が予想される。このようなＲＦ−ＩＤタグとしては、２つのコイルの誘電磁束による誘起電力を利用した電磁誘導方式によるものや、マイクロ波帯を利用して通信を行うマイクロ波方式によるもの等があるが、この中でも、マイクロ波帯を利用して通信を行うマイクロ波方式によるものは、ＩＣチップに接続された導電性のアンテナの長さによって通信距離を延ばすことができるため、近年ではその利用数が増加している。
【０００３】
マイクロ波方式によるＲＦ−ＩＤタグは、外部に設けられた情報書込／読出装置から照射された電波に共振してアンテナに電流が流れ、この電流がＩＣチップに供給され、それにより、非接触状態において、情報書込／読出装置からＩＣチップに情報が書き込まれたり、ＩＣチップに書き込まれた情報が情報書込／読出装置にて読み出されたりする。すなわち、情報書込／読出装置から照射された電波を受信することにより電力が供給されて動作することになる。このようなＲＦ−ＩＤタグをパッシブ型と呼ぶ。また、例えばコイン電池等の電源を内蔵し、この電源による電力によって動作するアクティブ型と呼ばれるものもある。このアクティブ型と呼ばれるＲＦ−ＩＤタグにおいては、コイン電池の代わりに太陽電池を内蔵するものも考えられている（例えば、特許文献１参照。）。太陽電池は、太陽光等の光を受光することにより発電するものであって、無限なエネルギーであるとともに二酸化炭素を排出しないため、近年、有効なエネルギー発生手段として注目されており、上述したようなＲＦ−ＩＤタグに内蔵することによっても、ランニングコストが安く、かつ、環境にやさしいという効果を得ることができる。
【特許文献１】特開２００８−２７６５１６号公報
【発明の開示】
【発明が解決しようとする課題】
【０００４】
一般に、太陽電池は、太陽光を受光すると発電する材料が２枚の電極間に挟み込まれたパネル状に形成され、発電により生じた電位をエネルギーとして外部に取り出すことにより利用されるものであるため、所望の起電力を発生させるために広い受光面積を必要とする場合がある。そのため、太陽電池をＲＦ−ＩＤタグに内蔵した場合、太陽電池の受光面積に応じてＲＦ−ＩＤタグが大きくなってしまう場合が生じ、ＲＦ−ＩＤタグの用途によっては太陽電池を内蔵することができず、上述したような太陽電池による効果を得ることができなくなってしまう。
【０００５】
また、光を受光する受光面と情報書込／読出装置から照射された電波を受信する受信面とを同一面とし、太陽電池の電極と情報書込／読出装置から照射された電波を受信するアンテナとが重なった場合、情報書込／読出装置から照射された電波が電極によって遮断されてしまい、ＲＦ−ＩＤタグを動作させることができなくなってしまう。
【０００６】
本発明は、上述したような従来の技術が有する問題点に鑑みてなされたものであって、受光した光によって電力を発生し、かつ、この電力による電磁波を、光によって電力を発生することによる障害を受けることなく照射してＲＦ−ＩＤメディアに電力を供給することができる電力供給装置を提供することを目的とする。
【課題を解決するための手段】
【０００７】
上記目的を達成するために本発明は、
電磁波を照射することにより電力を供給する電力供給装置であって、
光を受光する受光面と、
前記受光面にて受光した光によって電力を発生させる電力発生部と、
前記電力発生部にて発生した電力による電磁波を、前記受光面が向く方向とは異なる方向に照射する電磁波照射部とを有する。
【０００８】
上記のように構成された本発明においては、受光面にて光が受光されると、電力発生部において受光面にて受光した光によって電力が発生する。そして、電力発生部にて発生した電力による電磁波は、受光面が向く方向とは異なる方向に電磁波照射部によって照射される。この電磁波を受信したＲＦ−ＩＤタグは、受信した電磁波に共振してアンテナに電流が流れたり、電磁波による誘導電流がアンテナに流れたりして、この電流がＩＣチップに供給され、それにより、ＲＦ−ＩＤタグが動作することになる。
【発明の効果】
【０００９】
以上説明したように本発明においては、電磁波を照射することにより電力を供給する電力供給装置であって、光を受光する受光面と、受光面にて受光した光によって電力を発生させる電力発生部と、電力発生部にて発生した電力による電磁波を、受光面が向く方向とは異なる方向に照射する電磁波照射部とを有する構成としたため、受光した光によって電力を発生し、かつ、この電力による電磁波を、光によって電力を発生することによる障害を受けることなく照射してＲＦ−ＩＤメディアに電力を供給することができる。また、電力の供給先となるＲＦ−ＩＤメディアの大きさが小さく、ＲＦ−ＩＤメディア自体に、太陽電池等の光を受光することにより発電するものを搭載することができない場合であっても、光を受光することによって発生した電力を利用することができる。
【発明を実施するための最良の形態】
【００１０】
以下に、本発明の実施の形態について図面を参照して説明する。
【００１１】
（第１の実施の形態）
図１は、本発明の電力供給装置の第１の実施の形態となる電力供給シートの一例を示す図であり、（ａ）は正面図、（ｂ）は（ａ）に示したＡ−Ａ’断面図、（ｃ）は裏面側から見た図、（ｄ）は（ｂ）に示したＲＦＩＤ機能層２０の構成を示す図、（ｅ）は機能ブロック図である。
【００１２】
本形態は図１（ｂ）に示すように、電力発生部である太陽電池層３０と電磁波照射部であるＲＦＩＤ機能層２０とが積層され、さらに、太陽電池層３０のＲＦＩＤ機能層２０とは反対側に樹脂層４０が積層され、ＲＦＩＤ層２０の太陽電池層３０とは反対側に印刷層１０が積層されてシート状に構成されている。
【００１３】
樹脂層４０は、ＰＥＴ等からなる透明な材料で構成され、太陽電池層３０のＲＦＩＤ機能層２０とは反対側に積層されており、その表面が本発明における受光面となる。樹脂層４０が透明な材料から構成されているため、電力供給シート１を裏面側から見た場合、図１（ｃ）に示すように太陽電池層３０が視認可能となっている。
【００１４】
太陽電池層３０は、図１（ｃ），（ｅ）に示すように、太陽光等の光を受光し、受光した光によって電力を発生させるシート状の太陽電池３１と、太陽電池３１にて発生した電力が充電される二次電池３２とを有しており、樹脂層４０が透明な材料から構成されていることから、電力供給シート１の裏面側に照射され、受光面となる樹脂層４０の表面にて受光した光が太陽電池３１にて受光されることになる。太陽電池３１は、太陽光等の光を受光すると発電する材料が２枚の電極（不図示）間に挟み込まれたパネル状に形成されている。そして、２枚の電極のうち、樹脂層４０側の電極が透明なＩＴＯとなっており、それにより、樹脂層４０を介して受光された光が２枚の電極に挟み込まれた材料に達し、その材料が発電することになる。発電により生じた電位は、電力として電極を介して取り出される。なお、２枚の電極のうち、ＲＦＩＤ機能層２０側の電極においては、透明である必要はないため、電気抵抗の面を考慮すると、ＩＴＯではなくＡｌ蒸着層等から構成することが好ましい。また、２枚の電極に挟み込まれる材料としては、例えば、バルクヘテロ接合膜等が考えられる。
【００１５】
ＲＦＩＤ機能層２０は、図１（ｄ），（ｅ）に示すように、電波を照射するためのアンテナ２１と、二次電池３２に充電された電力を取り出し、取り出した電力による電波をアンテナ２１を介して照射する電力供給制御部２２とを有しており、ＲＦＩＤ機能層２０の、電力供給シート１の裏面側には太陽電池３１の電極が配置されていることから、電力供給制御部２２によってアンテナ２１を介して照射された電波は、電力供給シート１の裏面側からは照射されず、電力供給シート１の正面側からのみ照射されることになる。
【００１６】
印刷層１０は、紙等の電波を透過可能な材料からなり、図１（ａ）に示すように、表面に情報１１が印刷されている。
【００１７】
以下に、上記のように構成された電力供給シート１の使用方法について説明する。
【００１８】
まず、図１に示した電力供給シート１から電力が供給されて動作するＲＦ−ＩＤタグについて説明する。
【００１９】
図２は、図１に示した電力供給シート１から電力が供給されて動作するＲＦ−ＩＤタグの一例を示す図であり、（ａ）は正面図、（ｂ）は（ａ）に示したＡ−Ａ’断面図、（ｃ）は機能ブロック図である。
【００２０】
本例のＲＦ−ＩＤタグ２は図２（ｂ）に示すように、ＲＦＩＤ機能層６０の一方の面に情報表示層５０が積層され、他方の面に、剥離後の再貼着が可能な粘着剤７０が塗布されて構成されている。
【００２１】
情報表示層５０は、２枚の電極（不図示）間に、２枚の電極に互いに異なる電圧が印加されることにより発光する材料が挟み込まれてパネル状に形成されており、図２（ａ）に示すように、発光部分が表示部５１となっている。そして、２枚の電極のうち、ＲＦＩＤ機能層６０とは反対側の電極が透明なＩＴＯとなっており、それにより、表示部５１の発光状態がＲＦ−ＩＤタグ２の正面側から視認可能となっている。なお、この情報表示層５０としては、２枚の電極間における相転移による２つの異なる分子配向を利用して表示を行うコレステリック液晶方式を用いたものや、２枚の電極から電解質溶液を通して電圧を印加し、有機染料を電気的に可逆的に酸化／還元状態にすることにより発色させるエレクトロクロミック方式を用いたものや、ＥＬ（Electro Luminescence）等、２枚の電極に対する電圧印加によって表示が切り替わる薄型表示部材であれば適用することができる。
【００２２】
ＲＦＩＤ機能層６０は、図２（ｃ）に示すように、電波を受信し、受信した電波に共振することによって電流が流れるアンテナ６１と、アンテナ６１に流れる電流が供給されて駆動し、表示部５１の発光を制御するＩＣチップ６２とを有している。ＩＣチップ６２は、表示部５１の発光を制御するための情報が記憶されたメモリ６３と、メモリ６３に記憶された情報に従って表示部５１の発光を制御する表示制御部６４とを有している。
【００２３】
次に、図１に示した電力供給シート１によって図２に示したＲＦ−ＩＤタグ２を動作させる方法について説明する。
【００２４】
図３は、図２に示したＲＦ−ＩＤタグ２が図１に示した電力供給シート１に取り付けられた際の電力供給シート１及びＲＦ−ＩＤタグ２の動作を説明するための図であり、（ａ）はＲＦ−ＩＤタグ２が取り付けられた電力供給シート１の使用状態を示す図、（ｂ）は（ａ）に示したＡ−Ａ’断面図、（ｃ）は構成ブロック図、（ｄ）はＲＦ−ＩＤタグ２の動作状態を示す図である。
【００２５】
図１に示した電力供給シート１は図３（ａ）に示すように、樹脂層４０が窓３側となるように窓３に取り付けられる。窓３への取り付け方法は、電力供給シート１の周囲をテープで貼り付けたり、電力供給シート１の樹脂層４０側を両面テープを用いて貼り付けたり、吸盤フック等を用いて取り付けたりすることが考えられるが、樹脂層４０側から受光した太陽光等の光が遮断されないようにする必要がある。
【００２６】
また、図３（ａ），（ｂ）に示すように、窓３に取り付けられた電力供給シート１の表面、すなわち印刷層１０側に、図２に示したＲＦ−ＩＤタグ２を粘着剤７０によって貼着する。
【００２７】
このように電力供給シート１が窓３に取り付けられると、図３（ｃ）に示すように、窓３から差し込んでくる太陽光が窓３を介して電力供給シート１にて受光されることになるが、電力供給シート１が、樹脂層４０が窓３側となるように窓３に取り付けられており、また、樹脂層４０が透明な材料から構成されていることから、窓３を介して受光された光は、受光面となる樹脂層４０の表面にて受光され、さらに樹脂層４０を介して太陽電池３１にて受光されることになる。すると、太陽電池層３０の太陽電池３１にて電力が発生し、この電力が太陽電池３１の２枚の電極から取り出されて二次電池３２に充電される。
【００２８】
そして、二次電池３２に充電された電力が、ＲＦＩＤ機能層２０の電力供給制御部２２にて取り出され、取り出された電力による電波が、図３（ｃ）に示すように、アンテナ２１を介して照射される。アンテナ２１を介して照射された電波は、ＲＦＩＤ機能層２０の表裏方向にそれぞれ照射されるが、太陽電池層３０側に照射された電波は太陽電池３１の電極によって遮断されるため、電力供給シート１の裏面側からは照射されず、また、印刷層１０側に照射された電波は、電力供給シート１の正面側からそのまま照射される。すなわち、電力供給シート１においては、太陽光の受光面が向く方向とは異なる方向に電波が照射されることになる。
【００２９】
電力供給シート１のアンテナ２１を介して照射された電波は、電力供給シート１に貼着されたＲＦ−ＩＤタグ２のＲＦＩＤ機能部６０のアンテナ６１にて受信される。すると、アンテナ６１が受信した電波に共振し、アンテナ６１に電流が流れることによりＲＦ−ＩＤタグ２に電力が供給される。
【００３０】
ＲＦＩＤ機能部６０のＩＣチップ６２においては、アンテナ６１に流れる電流が供給されることにより、表示制御部６４において、メモリ６３に記憶された情報が読み出され、読み出された情報に従って表示部５１の発光が制御される。
【００３１】
表示制御部６４において表示部５１の発光が制御されると、図３（ｄ）に示すように、ＲＦ−ＩＤタグ２の発光部５１が、表示制御部６４の制御に従って発光することになる。
【００３２】
このように本形態においては、電力供給シート１の樹脂層４０側の面にて光を受光し、受光した光によって電力を発生し、光を受光した面が向かう方向とは異なる方向となる印刷層１０側の面からその電力による電波を照射するため、受光した光によって電力を発生し、かつ、この電力による電波を、光によって電力を発生することによる障害を受けることなく照射してＲＦ−ＩＤタグ２に電力を供給することができる。
【００３３】
（第２の実施の形態）
図４は、本発明の電力供給装置の第２の実施の形態を示す図であり、（ａ）は外観斜視図、（ｂ）は（ａ）に示したＡ方向から見た図、（ｃ）は（ａ）に示したＢ方向から見た内部構成図、（ｄ）は機能ブロック図である。
【００３４】
本形態は図４に示すように、筐体１１０内に、電力発生部である太陽電池１３１及び二次電池１３２と、電磁波照射部であるアンテナ１２１及び電力供給制御部１２２とが内蔵されて構成されている。
【００３５】
筐体１１０は、太陽光等の光を受光する受光面を有し、この受光面が透明な材料から構成されている。
【００３６】
太陽電池１３１は、図４（ｂ），（ｃ）に示すように、筐体１１０の受光面となる面に近接対向して配置され、筐体１１０の受光面に照射されて受光された光を受光するものであって、第１の実施の形態に示したものと同様に、太陽光等の光を受光すると発電する材料が２枚の電極間に挟み込まれたパネル状に形成されている。そして、２枚の電極のうち、筐体１１０の受光面に対向する側の電極が透明なＩＴＯとなっており、それにより、筐体１１０の受光面にて受光された光が２枚の電極に挟み込まれた材料に達し、その材料が発電することになる。発電により生じた電位は、電力として電極を介して取り出され、二次電池１３２に充電される。
【００３７】
アンテナ１２１は、図４（ａ），（ｃ）に示すように、筐体１１０の受光面に対向する面に近接対向して配置されている。電力供給制御部１２２は、二次電池１３２に充電された電力を取り出し、取り出した電力による電波をアンテナ１２１を介して照射する。筐体１１０内部においては、アンテナ１２１の受光面側には太陽電池１３１の電極が配置されていることから、電力供給制御部１２２によってアンテナ１２１を介して照射された電波は、電力供給装置１０１の受光面からは照射されず、電力供給装置１０１の正面側からのみ照射されることになる。
【００３８】
以下に、上記のように構成された電力供給装置１０１によって図２に示したＲＦ−ＩＤタグ２を動作させる方法について説明する。
【００３９】
図５は、図２に示したＲＦ−ＩＤタグ２が図４に示した電力供給装置１０１に取り付けられた際の電力供給装置１０１及びＲＦ−ＩＤタグ２の動作を説明するための図であり、（ａ）は電力供給装置１０１とＲＦ−ＩＤタグ２との配置状態を示す図、（ｂ）は構成ブロック図である。
【００４０】
電力供給装置１０１によって図２に示したＲＦ−ＩＤタグ２を動作させる場合は図５（ａ）に示すように、電力供給装置１０１を筐体１１０の受光面が窓１０３に対向するように設置するとともに、電力供給装置１０１のアンテナ１２１から照射された電波の受信範囲内にＲＦ−ＩＤタグ２を配置する。ここで、本形態においては、電力供給装置１０１のアンテナ１２１から照射された電波の受信範囲内には、ＲＦ−ＩＤタグ２を貼着するためのタグ貼着物１０４が配置されており、このタグ貼着物１０４にＲＦ−ＩＤタグ２を貼着することにより、電力供給装置１０１のアンテナ１２１から照射された電波の受信範囲内にＲＦ−ＩＤタグ２を配置することができる。
【００４１】
このように電力供給装置１０１が、筐体１１０の受光面が窓１０３に対向するように設置されると、図５（ｂ）に示すように、窓１０３から差し込んでくる太陽光が窓１０３を介して電力供給装置１０１にて受光されることになるが、筐体１１０の受光面が透明な材料から構成されていることから、窓１０３を介して受光された光は、筐体１１０の受光面を介して太陽電池１３１にて受光されることになる。すると、太陽電池１３１にて電力が発生し、この電力が太陽電池１３１の２枚の電極から取り出されて二次電池１３２に充電される。
【００４２】
そして、二次電池１３２に充電された電力が電力供給制御部１２２にて取り出され、取り出された電力による電波が、図５（ｂ）に示すように、アンテナ１２１を介して照射される。アンテナ１２１を介して照射された電波は、アンテナ１２１が対向する面、すなわち、筐体１１０の受光面側と受光面に対向する面側とにそれぞれに照射されるが、筐体１１０の受光面側に照射された電波は太陽電池１３１の電極によって遮断されるため、電力供給装置１の受光面側からは照射されず、また、電力供給装置１０１の正面側からそのまま照射される。すなわち、電力供給装置１０１においては、太陽光の受光面が向く方向とは異なる方向に電波が照射されることになる。
【００４３】
電力供給装置１０１のアンテナ１２１を介して照射された電波は、タグ貼着物１０４に貼着されたＲＦ−ＩＤタグ２のＲＦＩＤ機能部６０のアンテナ６１にて受信される。すると、アンテナ６１が受信した電波に共振し、アンテナ６１に電流が流れることによりＲＦ−ＩＤタグ２に電力が供給される。
【００４４】
ＲＦＩＤ機能部６０のＩＣチップ６２においては、アンテナ６１に流れる電流が供給されることにより、表示制御部６４において、メモリ６３に記憶された情報が読み出され、読み出された情報に従って表示部５１の発光が制御され、発光部５１が、表示制御部６４の制御に従って発光することになる。
【００４５】
このように本形態においては、電力供給装置１０１において筐体１１０の受光面となる１つの面にて光を受光し、受光した光によって電力を発生し、光を受光した面が向かう方向とは異なる方向にその電力による電波を照射するため、受光した光によって電力を発生し、かつ、この電力による電波を、光によって電力を発生することによる障害を受けることなく照射してＲＦ−ＩＤタグ２に電力を供給することができる。
【００４６】
なお、本形態においては、電力供給装置１０１のアンテナ１２１から照射された電波の受信範囲内にタグ貼着物１０４を設置し、このタグ貼着物１０４にＲＦ−ＩＤタグ２を貼着することにより、アンテナ１２１から照射された電波をＲＦ−ＩＤタグ２にて受信可能としているが、電力供給装置１０１のアンテナ１２１から照射された電波の受信範囲内にＲＦ−ＩＤタグ２を設置すれば、ＲＦ−ＩＤタグ２を貼着するものは壁等であってもよい。
【００４７】
また、上述した実施の形態においては、ＲＦ−ＩＤタグ２を粘着剤７０によって電力供給シート１やタグ貼着物１０４に貼着しているが、ＲＦ−ＩＤタグ２のこれらへの取り付け手段は粘着剤に限らない。
【００４８】
また、上述した実施の形態においては、電力供給シート１や電力供給装置１０１によって電力が供給されて動作するＲＦ−ＩＤメディアとして、電力供給シート１や電力供給装置１０１から照射された電波を受信した場合に、この電波によって供給される電力によって表示部５１が発光するＲＦ−ＩＤタグ２を例に挙げて説明したが、本発明の電力供給装置によって電力が供給されて動作するＲＦ−ＩＤメディアとしては、電力供給装置から照射された電波を受信した場合に、この電波によって供給される電力によって音声を出力したり情報を発信したりするもの等、様々なものを使用することができる。また、その動作は、上述した実施の形態に示したもののようにメモリ６３に記憶された情報に応じたものに限らず、電力供給シート１や電力供給装置１０１から照射される電波に、ＲＦ−ＩＤメディアの動作を制御するための情報を含ませ、その情報をＲＦ−ＩＤメディアに受信させることによって制御することもできる。また、電力供給シート１や電力供給装置１０１が、上述したようにＲＦ−ＩＤタグ２に対して電力を供給するだけのものに限らず、ＲＦ−ＩＤタグ２に対して情報の書き込みや読み出しを行う構成とすることも考えられる。
【００４９】
また、上述した２つの実施の形態においては、太陽電池３１，１３１にて発生した電力が充電される二次電池３２，１３２を有する構成となっているが、二次電池３２，１３２を有さずに、電力供給制御部２２，１２２において、太陽電池３１，１３１にて発生した電力を太陽電池３１，１３１の２枚の電極を介して直接取り出す構成とすることも考えられる。
【００５０】
また、電力供給シート１や電力供給装置１０１においては、光を受光した面とは反対側の面から電波を照射しているが、光を受光した面が向く方向とは異なる方向に電波を照射する構成であれば、受光した光によって電力を発生することによる障害を受けることなく電波を照射することができる。
【００５１】
また、上述した２つの実施の形態においては、電力供給シート１や電力供給装置１０１のアンテナ２１，１２１から電波が照射されると、ＲＦ−ＩＤタグ２のアンテナ６１がこの電波に共振して電流が流れるものを例に挙げて説明したが、電力供給シート１や電力供給装置１０１のアンテナ２１，１２１から電磁波を照射し、この電磁波によってＲＦ−ＩＤタグ２のアンテナ６１に誘導電流が流れるものであってもよい。
【図面の簡単な説明】
【００５２】
【図１】本発明の電力供給装置の第１の実施の形態となる電力供給シートの一例を示す図であり、（ａ）は正面図、（ｂ）は（ａ）に示したＡ−Ａ’断面図、（ｃ）は裏面側から見た図、（ｄ）は（ｂ）に示したＲＦＩＤ機能層の構成を示す図、（ｅ）は機能ブロック図である。
【図２】図１に示した電力供給シートから電力が供給されて動作するＲＦ−ＩＤタグの一例を示す図であり、（ａ）は正面図、（ｂ）は（ａ）に示したＡ−Ａ’断面図、（ｃ）は機能ブロック図である。
【図３】図２に示したＲＦ−ＩＤタグが図１に示した電力供給シートに取り付けられた際の電力供給シート及びＲＦ−ＩＤタグの動作を説明するための図であり、（ａ）はＲＦ−ＩＤタグが取り付けられた電力供給シート１の使用状態を示す図、（ｂ）は（ａ）に示したＡ−Ａ’断面図、（ｃ）は構成ブロック図、（ｄ）はＲＦ−ＩＤタグの動作状態を示す図である。
【図４】本発明の電力供給装置の第２の実施の形態を示す図であり、（ａ）は外観斜視図、（ｂ）は（ａ）に示したＡ方向から見た図、（ｃ）は（ａ）に示したＢ方向から見た内部構成図、（ｄ）は機能ブロック図である。
【図５】図２に示したＲＦ−ＩＤタグが図４に示した電力供給装置に取り付けられた際の電力供給装置及びＲＦ−ＩＤタグの動作を説明するための図であり、（ａ）は電力供給装置とＲＦ−ＩＤタグとの配置状態を示す図、（ｂ）は構成ブロック図である。
【符号の説明】
【００５３】
１    電力供給シート
２    ＲＦ−ＩＤタグ
３，１０３    窓
１０    印刷層
１１    情報
２０，６０    ＲＦＩＤ機能層
２１，６１，１２１    アンテナ
２２，１２２    電力供給制御部
３０    太陽電池層
３１，１３１    太陽電池
３２，１３２    二次電池
４０    樹脂層
５０    情報表示層
５１    表示部
６２    ＩＣチップ
６３    メモリ
６４    表示制御部
７０    粘着剤
１０１    電力供給装置
１０４    タグ貼着物
１１０    筐体
【図１】
2010122874.tif 000003
【図２】
2010122874.tif 000004
【図３】
2010122874.tif 000005
【図４】
2010122874.tif 000006
【図５】
2010122874.tif 000007